【手続補正書】
【提出日】平成29年12月15日(2017.12.15)
【手続補正１】
【補正対象書類名】特許請求の範囲
【補正対象項目名】全文
【補正方法】変更
【補正の内容】
【特許請求の範囲】
【請求項１】
静電潜像担持体の表面に形成された静電潜像を現像して該静電潜像担持体の表面にトナー像を形成するための現像装置において、
該現像装置が、
該静電潜像を現像するためのトナー、
該トナーを担持するためのトナー担持体、および、
該トナー担持体に担持された該トナーの層厚を規制するための規制部材
を有し、
該トナーが、
結着樹脂および磁性体を含有するトナー粒子、
一次粒子の数平均粒径（Ｄ１）が５ｎｍ以上２０ｎｍ以下である第一のシリカ微粒子、および、
一次粒子の数平均粒径（Ｄ１）が４０ｎｍ以上２００ｎｍ以下である第二のシリカ微粒子
を有する磁性トナーであり、
該第二のシリカ微粒子が、ゾルゲルシリカ微粒子であり、
該トナーのトータルエネルギーが、２７０ｍＪ／（ｇ／ｍｌ）以上３５５ｍＪ／（ｇ／ｍｌ）以下であり、
該トナー担持体が、基体、弾性層、および、ウレタン樹脂を含む表面層を有し、
該ウレタン樹脂が、下記構造式（１）で示される化合物とポリイソシアネートとの反応に由来する部分構造を有する
ことを特徴とする現像装置。
【化１】
2015143855.tif 000001
（構造式（１）中、
ｎは、１以上４以下の整数であり、
Ｒ３は、各々独立に、下記（ａ）〜（ｃ）からなる群から選ばれるいずれかを表し、
（ａ）炭素数２以上８以下のヒドロキシアルキル基、
（ｂ）炭素数２以上８以下のアミノアルキル基、
（ｃ）下記構造式（２）で示される基、
Ｒ４は、炭素数２以上４以下のアルキレン基を表す。）
【化２】
2015143855.tif 000002
（構造式（２）中、
ｍは、２以上３以下の整数を表し、
Ｒ５は炭素数２以上５以下のアルキレン基を表す。）
【請求項２】
前記第一のシリカ微粒子が、シリコーンオイルで処理されているシリカ微粒子である請求項１に記載の現像装置。
【請求項３】
前記第一のシリカ微粒子における前記シリコーンオイルの炭素基準の固定化率が、９０％以上である請求項２に記載の現像装置。
【請求項４】
現像装置を用い、静電潜像担持体の表面に形成された静電潜像を現像して該静電潜像担持体の表面にトナー像を形成する現像方法において、
該現像装置が、
該静電潜像を現像するためのトナー、
該トナーを担持するためのトナー担持体、および、
該トナー担持体に担持された該トナーの層厚を規制するための規制部材
を有し、
該トナーが、
結着樹脂および磁性体を含有するトナー粒子、
一次粒子の数平均粒径（Ｄ１）が５ｎｍ以上２０ｎｍ以下である第一のシリカ微粒子、および、
一次粒子の数平均粒径（Ｄ１）が４０ｎｍ以上２００ｎｍ以下である第二のシリカ微粒子
を有する磁性トナーであり、
該第二のシリカ微粒子が、ゾルゲル法によって製造されたシリカ微粒子であり、
該トナーのトータルエネルギーが、２７０ｍＪ／（ｇ／ｍｌ）以上３５５ｍＪ／（ｇ／ｍｌ）以下であり、
該トナー担持体が、基体、弾性層、および、ウレタン樹脂を含む表面層を有し、
該ウレタン樹脂が、下記構造式（１）で示される化合物とポリイソシアネートとの反応に由来する部分構造を有する
ことを特徴とする現像方法。
【化３】
2015143855.tif 000003
（構造式（１）中、
ｎは、１以上４以下の整数であり
Ｒ３は、各々独立に、下記（ａ）〜（ｃ）からなる群から選ばれるいずれかを表し、
（ａ）炭素数２以上８以下のヒドロキシアルキル基、
（ｂ）炭素数２以上８以下のアミノアルキル基、
（ｃ）下記構造式（２）で示される基、
Ｒ４は、炭素数２以上４以下のアルキレン基を表す。）
【化４】
2015143855.tif 000004
（構造式（２）中、
ｍは、２以上３以下の整数を表し、
Ｒ５は、炭素数２以上５以下のアルキレン基を表す。）
【請求項５】
前記第一のシリカ微粒子が、シリカ原体をシリコーンオイルによって処理した後、アルコキシシランおよびシラザンの少なくとも一方で処理して得られたものである請求項４に記載の現像方法。
【請求項６】
前記第一のシリカ微粒子における前記シリコーンオイルの炭素基準の固定化率が、９０％以上である請求項５に記載の現像方法。
【請求項７】
静電潜像担持体、
該静電潜像担持体の表面を帯電するための帯電手段、
帯電された該静電潜像担持体の表面に像露光光を照射して該静電潜像担持体の表面に静電潜像を形成するための像露光手段、
該静電潜像担持体の表面に形成された静電潜像を現像して該静電潜像担持体の表面にトナー像を形成するための現像装置、
中間転写体を介してまたは介さずに該静電潜像担持体の表面に形成されたトナー像を転写材に転写するための転写手段、および、
該転写材に転写されたトナー像を該転写材に定着するための定着手段
を有する画像形成装置において、
該現像装置が、請求項１〜３のいずれか１項に記載の現像装置である
ことを特徴とする画像形成装置。
【請求項８】
静電潜像担持体の表面を帯電する帯電工程、
帯電された該静電潜像担持体の表面に像露光光を照射して該静電潜像担持体の表面に静電潜像を形成する像露光工程、
該静電潜像担持体の表面に形成された静電潜像を現像して該静電潜像担持体の表面にトナー像を形成する現像工程、
中間転写体を介してまたは介さずに該静電潜像担持体の表面に形成されたトナー像を転写材に転写する転写工程、および、
該転写材に転写されたトナー像を該転写材に定着する定着工程
を有する画像形成方法において、
該現像工程が、請求項４〜６のいずれか１項に記載の現像方法によって行われる工程である
ことを特徴とする画像形成方法。
【手続補正２】
【補正対象書類名】明細書
【補正対象項目名】００２２
【補正方法】変更
【補正の内容】
【００２２】
本発明は、静電潜像担持体の表面に形成された静電潜像を現像して該静電潜像担持体の表面にトナー像を形成するための現像装置において、
該現像装置が、
該静電潜像を現像するためのトナー、
該トナーを担持するためのトナー担持体、および、
該トナー担持体に担持された該トナーの層厚を規制するための規制部材
を有し、
該トナーが、
結着樹脂および磁性体を含有するトナー粒子、
一次粒子の数平均粒径（Ｄ１）が５ｎｍ以上２０ｎｍ以下である第一のシリカ微粒子、および、
一次粒子の数平均粒径（Ｄ１）が４０ｎｍ以上２００ｎｍ以下である第二のシリカ微粒子
を有する磁性トナーであり、
該第二のシリカ微粒子が、ゾルゲルシリカ微粒子であり、
該トナーのトータルエネルギーが、２７０ｍＪ／（ｇ／ｍｌ）以上３５５ｍＪ／（ｇ／ｍｌ）以下であり、
該トナー担持体が、基体、弾性層、および、ウレタン樹脂を含む表面層を有し、
該ウレタン樹脂が、下記構造式（１）で示される化合物とポリイソシアネートとの反応に由来する部分構造を有する
ことを特徴とする現像装置である。
【化１】
2015143855.tif 000005
（構造式（１）中、
ｎは、１以上４以下の整数であり
Ｒ３は、各々独立に、下記（ａ）〜（ｃ）からなる群から選ばれるいずれかを表し、
（ａ）炭素数２以上８以下のヒドロキシアルキル基、
（ｂ）炭素数２以上８以下のアミノアルキル基、
（ｃ）下記構造式（２）で示される基、
Ｒ４は、炭素数２以上４以下のアルキレン基を表す。）
【化２】
2015143855.tif 000006
（構造式（２）中、
ｍは、２以上３以下の整数を表し、
Ｒ５は、炭素数２以上５以下のアルキレン基を表す。）
【手続補正３】
【補正対象書類名】明細書
【補正対象項目名】００２８
【補正方法】変更
【補正の内容】
【００２８】
本発明の現像装置は、
静電潜像担持体の表面に形成された静電潜像を現像して該静電潜像担持体の表面にトナー像を形成するための現像装置において、
該現像装置が、
該静電潜像を現像するためのトナー、
該トナーを担持するためのトナー担持体、および、
該トナー担持体に担持された該トナーの層厚を規制するための規制部材
を有し、
該トナーが、
結着樹脂および磁性体を含有するトナー粒子、
一次粒子の数平均粒径（Ｄ１）が５ｎｍ以上２０ｎｍ以下である第一のシリカ微粒子、および、
一次粒子の数平均粒径（Ｄ１）が４０ｎｍ以上２００ｎｍ以下である第二のシリカ微粒子
を有する磁性トナーであり、
該第二のシリカ微粒子が、ゾルゲルシリカ微粒子であり、
該トナーのトータルエネルギーが、２７０ｍＪ／（ｇ／ｍｌ）以上３５５ｍＪ／（ｇ／ｍｌ）以下であり、
該トナー担持体が、基体、弾性層、および、ウレタン樹脂を含む表面層を有し、
該ウレタン樹脂が、下記構造式（１）で示される化合物とポリイソシアネートとの反応に由来する部分構造を有する
ことを特徴とする。
【化３】
2015143855.tif 000007
構造式（１）中、
ｎは、１以上４以下の整数であり
Ｒ３は、各々独立に、下記（ａ）〜（ｃ）からなる群から選ばれるいずれかを表し、
（ａ）炭素数２以上８以下のヒドロキシアルキル基、
（ｂ）炭素数２以上８以下のアミノアルキル基、
（ｃ）下記構造式（２）で示される基、
Ｒ４は、炭素数２以上４以下のアルキレン基を表す。
【化４】
2015143855.tif 000008
構造式（２）中、
ｍは、２以上３以下の整数を表し、
Ｒ５は、炭素数２以上５以下のアルキレン基を表す。